【手続補正書】
【提出日】平成24年12月17日(2012.12.17)
【手続補正１】
【補正対象書類名】特許請求の範囲
【補正対象項目名】全文
【補正方法】変更
【補正の内容】
【特許請求の範囲】
【請求項１】
ジョブの実行に従い、当該ジョブに対応する画像データを含むジョブ履歴を記録可能な画像形成装置と接続された処理サーバであって、
前記画像形成装置に対して、該画像形成装置で処理されるジョブ種ごとのジョブ履歴の記録の要否を指定するための記録設定情報を設定する設定手段と、
ジョブ種ごとに前記画像形成装置でのジョブの処理の制限の有無を示す制限情報を取得する取得手段と、
前記取得された制限情報に基づき、前記設定手段による前記画像形成装置に対する記録設定情報の設定の制御を行う制御手段と、を有し、
前記制御手段は、前記取得された制限情報により制限されないジョブ種については、前記設定手段により、当該ジョブ種のジョブ履歴の記録することを示す記録設定情報が設定されるよう制御することを特徴とする処理サーバ。
【請求項２】
さらに、前記取得された制限情報により制限されないジョブ種について、前記記録設定情報において当該ジョブ種のジョブ履歴の記録しないことを示す場合に、ワーニングを通知する通知手段を、さらに有することを特徴とする請求項１に記載の処理サーバ。
【請求項３】
前記取得された制限情報により制限されないジョブ種について、前記記録設定情報において当該ジョブ種のジョブ履歴の記録しないことを示す場合に、前記制御手段は、前記設定手段により当該記録設定情報が設定されないよう制御することを特徴とする請求項２に記載の処理サーバ。
【請求項４】
前記通知手段は、前記取得された制限情報により制限されるジョブ種について、前記記録設定情報において当該ジョブ種のジョブ履歴の記録することを示す場合に、ワーニングを通知することを特徴とする請求項２または３に記載の処理サーバ。
【請求項５】
ジョブの実行に従い、当該ジョブに対応する画像データを含むジョブ履歴を記録可能な画像形成装置と接続された処理サーバにおける制御方法であって、
前記画像形成装置に対して、該画像形成装置で処理されるジョブ種ごとのジョブ履歴の記録の要否を指定するための記録設定情報を設定する設定工程と、
ジョブ種ごとに前記画像形成装置でのジョブの処理の制限の有無を示す制限情報を取得する取得工程と、
前記取得された制限情報に基づき、前記設定工程での前記画像形成装置に対する記録設定情報の設定の制御を行う制御工程と、を有し、
前記制御工程では、前記取得された制限情報により制限されないジョブ種については、前記設定工程により、当該ジョブ種のジョブ履歴の記録することを示す記録設定情報が設定されるよう制御されることを特徴とする制御方法。
【請求項６】
請求項１乃至４のいずれか１項に記載の手段としてコンピュータを機能させるためのコンピュータプログラム。
【請求項７】
ジョブ種ごとに画像形成装置でのジョブの処理の制限の有無を示す制限情報の変更指示を検知する検知手段と、
前記画像形成装置で処理されるジョブ種ごとのジョブ履歴の記録の要否を指定するための記録設定情報を取得する取得手段と、
前記変更指示が検知された制限情報において制限されなくなったジョブ種について、前記取得された記録設定情報において当該ジョブ種のジョブ履歴の記録しないことを示す場合に、ワーニングを通知する通知手段と、
前記変更指示が検知された制限情報において制限されなくなったジョブ種について、前記取得された記録設定情報において当該ジョブ種のジョブ履歴の記録することを示す場合に、前記変更指示を実行する実行手段と、を有することを特徴とするポリシーサーバ。
【請求項８】
ジョブ種ごとに画像形成装置でのジョブの処理の制限の有無を示す制限情報の変更指示を検知する検知工程と、
前記画像形成装置で処理されるジョブ種ごとのジョブ履歴の記録の要否を指定するための記録設定情報を取得する取得工程と、
前記変更指示が検知された制限情報において制限されなくなったジョブ種について、前記取得された記録設定情報において当該ジョブ種のジョブ履歴の記録しないことを示す場合に、ワーニングを通知する通知工程と、
前記変更指示が検知された制限情報において制限されなくなったジョブ種について、前記取得された記録設定情報において当該ジョブ種のジョブ履歴の記録することを示す場合に、前記変更指示を実行する実行工程と、を有することを特徴とするポリシーサーバにおける制御方法。
【請求項９】
請求項７に記載の手段としてコンピュータを機能させるためのコンピュータプログラム。
【手続補正２】
【補正対象書類名】明細書
【補正対象項目名】発明の名称
【補正方法】変更
【補正の内容】
【発明の名称】処理サーバ、その制御方法、ポリシーサーバ及びコンピュータプログラム
【手続補正３】
【補正対象書類名】明細書
【補正対象項目名】０００１
【補正方法】変更
【補正の内容】
【０００１】
本発明は、画像形成装置で実行されるジョブのジョブ履歴を管理するための技術に関する。
【手続補正４】
【補正対象書類名】明細書
【補正対象項目名】０００８
【補正方法】変更
【補正の内容】
【０００８】
本発明は、画像処理に関するジョブの実行の制限が解除された場合に、このジョブに対応するジョブ履歴情報の取得漏れを防止する手法の提供を目的とする。
【手続補正５】
【補正対象書類名】明細書
【補正対象項目名】０００９
【補正方法】変更
【補正の内容】
【０００９】
上記課題を解決するために、例えば、本発明の処理サーバは、ジョブの実行に従い、当該ジョブに対応する画像データを含むジョブ履歴を記録可能な画像形成装置と接続された処理サーバであって、前記画像形成装置に対して、該画像形成装置で処理されるジョブ種ごとのジョブ履歴の記録の要否を指定するための記録設定情報を設定する設定手段と、ジョブ種ごとに前記画像形成装置でのジョブの処理の制限の有無を示す制限情報を取得する取得手段と、前記取得された制限情報に基づき、前記設定手段による前記画像形成装置に対する記録設定情報を設定の制御を行う制御手段と、を有し、前記制御手段は、前記取得された制限情報により制限されないジョブ種については、前記設定手段により、当該ジョブ種のジョブ履歴の記録することを示す記録設定情報を設定するよう制御することを特徴とする。
【手続補正６】
【補正対象書類名】明細書
【補正対象項目名】００１０
【補正方法】変更
【補正の内容】
【００１０】
本発明によれば、画像処理に関するジョブの実行の制限が解除された場合に、このジョブに対応するジョブ履歴情報の取得漏れを防止することができる。
【手続補正７】
【補正対象書類名】明細書
【補正対象項目名】００１２
【補正方法】変更
【補正の内容】
【００１２】
図１は、本実施形態のシステム構成例を示す図である。図１に示すシステムは、ジョブ履歴情報管理システム１と、このジョブ履歴情報管理システム１とネットワーク５０で接続されたポリシーサーバ４０とを備える。
【手続補正８】
【補正対象書類名】明細書
【補正対象項目名】００１３
【補正方法】変更
【補正の内容】
【００１３】
ポリシーサーバ４０は、画像形成装置１０に対して、画像形成装置１０によるジョブの実行の制限に関する制御情報であるジョブ実行制限情報を設定する。具体的には、ジョブ実行制限情報は、画像形成装置１０によるジョブの実行を制限することを示すか、又は、ジョブの実行を制限しないことを示す。ジョブ実行制限情報は、ユーザ毎及びジョブ毎に設定される。
【手続補正９】
【補正対象書類名】明細書
【補正対象項目名】００５６
【補正方法】変更
【補正の内容】
【００５６】
図６は、画像処理サーバ２０が実行するジョブ履歴記録設定情報の変更処理を示すフローチャートの例である。まず、画像処理サーバ２０のメイン制御部４００が、ユーザの操作入力に従ってジョブ履歴記録設定情報の変更指示が行われたことを検知する（ステップＳ２１）。次に、メイン制御部４００が、ジョブ履歴記録設定情報の変更の内容を確認する（ステップＳ２２）。続いて、メイン制御部４００が、ポリシーサーバ４０のメイン制御部６００に対して、変更指示されたジョブ履歴記録設定情報に対応するジョブのジョブ実行制限情報を問い合わせる（ステップＳ２３）。メイン制御部４００から上記問い合わせを受けたポリシーサーバ４０のメイン制御部６００が、この問い合わせに応答して、ジョブ実行制限情報を画像処理サーバ２０のメイン制御部４００に対して送信する（ステップＳ３０）。
【手続補正１０】
【補正対象書類名】明細書
【補正対象項目名】００６２
【補正方法】変更
【補正の内容】
【００６２】
図６を参照して説明したように、画像処理サーバ２０は、ジョブ履歴記録設定情報の変更を指示された場合に、該変更後のジョブ履歴記録設定情報が画像形成装置１０にジョブ履歴情報を記録させないことを示すかを判断する（ステップＳ２４）。画像処理サーバ２０は、該変更後のジョブ履歴記録設定情報が画像形成装置１０にジョブ履歴情報を記録させないことを示す場合に、ジョブ実行制限情報を参照して、該ジョブ履歴情報に対応するジョブの実行が制限されているかを判断する（ステップＳ２６）。そして、画像処理サーバ２０は、該ジョブ履歴情報に対応するジョブの実行が制限されていない場合に、ジョブ履歴記録設定情報の変更を中止する（ステップＳ２９）。従って、データサーバ３０は、画像形成装置１０が実行したジョブのジョブ履歴情報の取得漏れを防止することができる。